(57)【要約】【課題】ＴＳ分割装置側でのＰＣＲの復元の情報の伝送処理や、ＴＳ合成装置側でのＰＣＲを復元する際の新たな処理を不要とする。【解決手段】ＴＳ分割装置１０により入力ＴＳのパケットが送信器３０−１〜３０−ｎ及び受信器４０−１〜４０−ｎで構成される伝送路に応じて分割され、それぞれ分割したパケットがフレーム構成のＴＳとしてそれぞれの伝送路に送出されるとき、ＴＳ分割装置１０のＴＳ処理部１１により入力ＴＳのパケットに少なくともＰＣＲパケットが含まれている場合、そのＰＣＲパケットが削除され、ＰＣＲ生成部１３−１ａによりそのＰＣＲが補正されていずれか１回線のフレーム構成に含ませられ、ＴＳ合成装置２０ではそれぞれの伝送路を介して受け取ったそれぞれのＴＳからパケットを取り出して合成することができ、そのフレーム構成に含まれるＰＣＲをそのまま使用することができるようにした。【選択図】図１０
2009260408.tif 000002
【特許請求の範囲】
【請求項１】
１つの高ビットレートの入力ＴＳを複数の低ビットレートの伝送路を利用して伝送するＴＳバルク伝送システムであって、
前記入力ＴＳのパケットを前記伝送路の数に応じて分割し、それぞれ分割したパケットをフレーム構成のＴＳとしてそれぞれの前記伝送路に送出するＴＳ分割装置と、
それぞれの前記伝送路を介して受け取ったそれぞれのＴＳから前記パケットを取り出して合成するＴＳ合成装置とを備え、
前記ＴＳ分割装置は、
前記入力ＴＳのパケットに少なくともＰＣＲパケットが含まれている場合、該少なくともＰＣＲパケットを削除するパケット削除手段と、
前記フレーム構成のＴＳをそれぞれの前記伝送路に送出する際に、前記入力ＴＳのＰＣＲパケットのＰＣＲを補正し、該補正したＰＣＲを前記複数の伝送路のいずれか１回線で送出される前記フレーム構成に含ませるＰＣＲ生成手段とを有する
ことを特徴とするＴＳバルク伝送システム。
【請求項２】
前記ＴＳ分割装置は、それぞれの前記フレーム構成を識別させるためのフレーム識別パケットをそれぞれの前記フレーム構成に付与するフレーム識別パケット付与手段を有することを特徴とする請求項１に記載のＴＳバルク伝送システム。
【請求項３】
前記フレーム識別パケットは、他の伝送路で伝送しているデータに影響がないように、前記フレーム構成のパケットに存在しないＰＩＤにて伝送されることを特徴とする請求項２に記載のＴＳバルク伝送システム。
【請求項４】
前記ＴＳ分割装置は、前記ＰＣＲパケットを伝送している伝送路のＴＳに比べてＴＳレートが高い場合、１フレームをｘ＋ｙパケットとしてフレームの最後にｙパケット分のＮＵＬＬパケットを挿入し、前記ＴＳレートが低い場合、１フレームをｘ−ｙパケットとするＮＵＬＬ生成手段を有し、
前記ＴＳ合成装置は、１フレームがｘ＋ｙパケットのときｙパケット分のＮＵＬＬパケットを削除し、１フレームがｘ−ｙパケットのときｙパケット分のＮＵＬＬパケットを追加する
ことを特徴とする請求項１〜３のいずれかに記載のＴＳバルク伝送システム。
【請求項５】
前記フレーム識別パケットは、フレームを識別するためのカウンタ値を有することを特徴とする請求項２〜４のいずれかに記載のＴＳバルク伝送システム。
【発明の詳細な説明】
【技術分野】
【０００１】
本発明は、１つの高ビットレートの入力ＴＳを複数の低ビットレートの伝送路を利用して伝送するＴＳバルク伝送システムに関する。ここで、ＴＳはＩＳＯ／ＩＥＣ  １３８１８の規格に則ったＴｒａｎｓｐｏｒｔ  Ｓｔｒｅａｍである。
【背景技術】
【０００２】
ＴＳパケットの伝送方式を用いた地上デジタルテレビ放送では、放送局毎に１チャンネル当たり６ＭＨｚの周波数帯域が割り当てられており、その６ＭＨｚの周波数帯域の中でデジタル信号を送信すること等が規格化されている。また、その６ＭＨｚの周波数帯域は、１３個（セグメント）に分割されており、その中の１つ（１セグメント）が携帯端末・移動体向けサービスに用いられている。
【０００３】
ところで、特に、ワンセグにおいては、地上デジタルテレビ放送のエリア内であれば、少なくともワンセグチューナーを有する携帯電話、カーナビ、パソコン、専用ポータブルテレビ等の受信端末により、移動中であっても画像の乱れを生じること無く映像を視聴できるようになっている。
【０００４】
ところが、現状でのワンセグの伝送容量が小さい（たとえば４１６ｋｂｐｓ）ためデータの送信に制約を受けてしまい、たとえば映像の高品質化に限界を生じてしまうことになる。
【０００５】
このような不具合を解消するようにしたものとして、特許文献１では、第１のＴＳ分割装置と第２のＴＳ分割装置とを備え、さらに第１のＴＳ分割装置には音声映像信号（ＭＰＥＧ−２  ＴＳ）を複数の分割音声映像信号に分割する分割部を設け、第２のＴＳ分割装置には巡回カウンタ（Ｃｏｎｔｉｎｕｉｔｙ  Ｃｏｕｎｔｅｒ）値に基づいて、分割及び合成の対象となる対象パケットを合成部に送出する順序を調整する第１の遅延調整部と、ＰＣＲに基づいてＳＴＣを生成するシステム基準時刻情報生成部と、複数のＳＴＣの中間値を演算するシステム基準時刻調整部と、中間値に基づいて合成された音声映像信号にＰＣＲを付加するプログラム参照時刻付加部とを設け、無線信号が占有する周波数帯域幅を増大させることなく、映像の高品質化に伴って情報量が増大した音声映像信号を伝送するようにした音声映像信号バルク伝送システムを提案している。
【特許文献１】特開２００５−２１７６５４号公報
【発明の開示】
【発明が解決しようとする課題】
【０００６】
上述した特許文献１では、第１の遅延調整部が、受信したＭＰＥＧ−２  ＴＳ（分割音声映像信号）に含まれる巡回カウンタ（Ｃｏｎｔｉｎｕｉｔｙ  Ｃｏｕｎｔｅｒ）値に基づいて、対象パケットを合成部に送出する順序を調整するため、対象パケットの伝送順序が変更されている場合でも、合成時に正しい順序に調整することができるようになっている。
【０００７】
ところが、このようなバルク伝送の方法では、システム基準時刻情報生成部により、ＰＣＲ（時刻情報）に基づいてＳＴＣ（送信側の基準時刻：Ｓｙｓｔｅｍ  Ｔｉｍｅ  Ｃｌｏｃｋ）を生成しているが、受信側でＰＣＲ（時刻情報）を復元するための特殊な情報を元データとは別に同期信号挿入パケットとして伝送する必要があるばかりか、受信側で平均値をとるなどの処理が別途必要となるといった問題があった。
【０００８】
本発明は、このような状況に鑑みてなされたものであり、上記問題点を解決することができるＴＳバルク伝送システムを提供することを目的とする。
【課題を解決するための手段】
【０００９】
本発明のＴＳバルク伝送システムは、１つの高ビットレートの入力ＴＳを複数の低ビットレートの伝送路を利用して伝送するＴＳバルク伝送システムであって、前記入力ＴＳのパケットを前記伝送路の数に応じて分割し、それぞれ分割したパケットをフレーム構成のＴＳとしてそれぞれの前記伝送路に送出するＴＳ分割装置と、それぞれの前記伝送路を介して受け取ったそれぞれのＴＳから前記パケットを取り出して合成するＴＳ合成装置とを備え、前記ＴＳ分割装置は、前記入力ＴＳのパケットに少なくともＰＣＲパケットが含まれている場合、該少なくともＰＣＲパケットを削除するパケット削除手段と、前記フレーム構成のＴＳをそれぞれの前記伝送路に送出する際に、前記入力ＴＳのＰＣＲパケットのＰＣＲを補正し、該補正したＰＣＲを前記複数の伝送路のいずれか１回線で送出される前記フレーム構成に含ませるＰＣＲ生成手段とを有することを特徴とする。
【００１０】
また、前記ＴＳ分割装置は、それぞれの前記フレーム構成を識別させるためのフレーム識別パケットをそれぞれの前記フレーム構成に付与するフレーム識別パケット付与手段を有するようにしてもよい。
【００１１】
また、前記フレーム識別パケットは、他の伝送路で伝送しているデータに影響がないように、前記フレーム構成のパケットに存在しないＰＩＤにて伝送されるようにしてもよい。
【００１２】
また、前記ＴＳ分割装置は、前記ＰＣＲパケットを伝送している伝送路のＴＳに比べてＴＳレートが高い場合、１フレームをｘ＋ｙパケットとしてフレームの最後にｙパケット分のＮＵＬＬパケットを挿入し、前記ＴＳレートが低い場合、１フレームをｘ−ｙパケットとするＮＵＬＬ生成手段を有し、前記ＴＳ合成装置は、１フレームがｘ＋ｙパケットのときｙパケット分のＮＵＬＬパケットを削除し、１フレームがｘ−ｙパケットのときｙパケット分のＮＵＬＬパケットを追加するようにしてもよい。
【００１３】
また、前記フレーム識別パケットは、フレームを識別するためのカウンタ値を有するようにしてもよい。
【００１４】
本発明のＴＳバルク伝送システムでは、ＴＳ分割装置により入力ＴＳのパケットが伝送路の数に応じて分割され、それぞれ分割されたパケットがフレーム構成のＴＳとしてそれぞれの伝送路に送出されるとき、ＴＳ分割装置のパケット削除手段により入力ＴＳのパケットに少なくともＰＣＲパケットが含まれている場合、少なくともそのＰＣＲパケットが削除され、ＴＳ分割装置のＰＣＲ生成手段によりそのＰＣＲパケットのＰＣＲが補正されて複数の伝送路のいずれか１回線で送出されるフレーム構成に含ませられることで、ＴＳ合成装置ではそれぞれの伝送路を介して受け取ったそれぞれのＴＳからパケットを取り出して合成することができ、そのフレーム構成に含まれるＰＣＲをそのまま使用することができる。
【発明の効果】
【００１５】
本発明のＴＳバルク伝送システムによれば、ＴＳ分割装置のＰＣＲ生成手段により補正されたＰＣＲが複数の伝送路のいずれか１回線で送出されるフレーム構成に含まれるようにし、ＴＳ合成装置側ではそのフレーム構成に含まれるＰＣＲをそのまま使用することができるようにしたので、ＴＳ分割装置側でのＰＣＲを復元させるための特殊な情報を元データとは別に同期信号挿入パケットとして伝送する処理や、ＴＳ合成装置側でのＰＣＲを復元する際の新たな処理を不要とすることができる。
【発明を実施するための最良の形態】
【００１６】
本実施形態でのＴＳバルク伝送システムは、たとえば図１に示すように、ＴＳ分割装置１０、ＴＳ合成装置２０、送信器３０−１〜３０−ｎ及び受信器４０−１〜４０−ｎを備えている。送信器３０−１〜３０−ｎ及び受信器４０−１〜４０−ｎは、複数（ｎ個）の伝送路を構成する。
【００１７】
ＴＳ分割装置１０は、たとえば図２（ａ）のような入力ＴＳ（たとえばＴＳ１〜ＴＳ１５）を、図２（ｂ）のように分割する。ただし、図２（ａ）は、ＰＣＲ（時刻情報）を有しない入力ＴＳの場合を示している。また、図２（ｂ）では、分割ＴＳ１〜ＴＳ３までを示している。ここで、ＴＳ合成装置２０側で、分割後のＴＳパケットの順番を間違えずに図２（ｃ）のように合成させるために、各伝送路で伝送するＴＳは全伝送路共通でｘパケットを１つのフレームとしたフレーム構成をとるとともに、それぞれのフレームを識別するためのバルク伝送フレームヘッダパケット（以下、ＢＦＨパケットという）がフレーム毎に伝送される。
【００１８】
つまり、図２（ｂ）では、入力ＴＳをたとえば分割ＴＳ１〜ＴＳ３までの分割とすると、１〜３までのＢＦＨパケットがそれぞれのフレーム毎に伝送されることになる。そして、ＴＳ合成装置２０側では、それぞれのＢＦＨパケットを基準として、各伝送路のＴＳパケットを順番に合成していくことになる。
【００１９】
また、ＰＣＲ（時刻情報）パケットを有する入力ＴＳの場合は、図３のように分割する。すなわち、図３（ａ）は、入力ＴＳがたとえばＴＳ１〜ＴＳ１２で、ＰＣＲ１〜ＰＣＲ３を含む場合を示している。
【００２０】
なお、ＰＣＲ（時刻情報）パケットは複数の伝送路のうち１伝送路のみで伝送する。このような伝送方法にするために、ＴＳ分割装置１０側では、まず、入力ＴＳのＰＣＲパケットを削除するか、あるいはその入力ＴＳのａｄａｐｔａｔｉｏｎ＿ｆｉｅｌｄのＰＣＲ＿ｆｌａｇを無効とする。
【００２１】
すなわち、図３（ｂ）のように、入力ＴＳをたとえば分割ＴＳ１〜ＴＳ３までの分割とすると、まず入力ＴＳのＰＣＲ１〜ＰＣＲ３が削除され、上述したＢＦＨパケットを基準としてＴＳ１〜ＴＳ１２が分割される。このとき、分割ＴＳ１にはＴＳ分割装置１０側で補正されたＰＣＲ４、ＰＣＲ５、ＰＣＲ６が挿入される。
【００２２】
ＴＳ合成装置２０側では、ＰＣＲパケットを伝送している伝送路のビットレートのｎ倍（ｎは伝送路の本数）でＴＳ合成後のＴＳを出力する。
【００２３】
このようにすることで、ＴＳ合成装置２０側では、図３（ｃ）に示すように、分割後のＴＳパケットの順番を間違えずに合成することができる。このとき、ＰＣＲの時間的な間隔は、点線で示すように、分割ＴＳ１と合成ＴＳとで同じになるため、ＴＳ合成装置２０側ではＰＣＲの補正処理が不要となる。
【００２４】
なお、ＢＦＨパケットは、ＴＳで伝送しているその他のデータに影響がないように、それぞれのＴＳに存在しないＰＩＤ（Ｐａｃｋｅｔ  ＩＤ）にて伝送される。また、ＢＦＨパケットは、フレームを識別するためのカウンタ値を有する。すなわち、図４に示すように、各伝送路で同時刻に伝送されるＢＦＨパケットに同一のカウンタ値｛たとえば（０）〜（２）｝を持たせることで、各伝送路の遅延差にかかわらず、送信側であるＴＳ分割装置１０側から同時刻に送られたフレームを識別でき、誤って前後のフレームでＴＳが合成されることを防止することができる。
【００２５】
また、伝送路の本数を変更する場合、ＢＦＨパケットにて変更後の伝送路の条件、すなわちどのタイミングで変更がされるのか等の情報を送る。これらの情報を用いることにより、図５に示すように、ＴＳ合成の出力レートを伝送路数の最大値ｎ＿ｍａｘとすると、実際に分割されたＴＳを伝送する伝送路がｍ個の場合、ｎ＿ｍａｘ−ｍについてはＴＳ合成にＮＵＬＬパケットを合成することにより、ＴＳの破綻及び合成後の出力のＴＳレートを変更すること無く伝送路を増減させることが可能となる。
【００２６】
また、ＢＦＨパケットは全伝送路で同じタイミングに出すと、合成後のＴＳにまとまってＢＦＨパケットが出力され、そのタイミングで入力ＴＳのレートに影響を与えることがある。この場合、図６に示すように、ＢＦＨパケットにフレームの先頭からのオフセットの値を持たせて、先頭からＢＦＨパケットの位置をずらすようにすればよい。
【００２７】
また、各伝送路が完全に同期していない場合は、同じ時間で伝送できるＴＳパケットの個数が伝送路毎に異なることになる。この問題を解決する場合は、ＰＣＲパケットを伝送している伝送路のＴＳに比べてＴＳレートが高いとき、通常時１フレームはｘパケットであるが、１フレームをｘ＋ｙパケットとしてフレームの最後にｙパケット分のＮＵＬＬパケットを挿入する。また、ＴＳ合成装置２０側では、フレーム長がｘパケット以上となった場合、続くｙパケット分のＮＵＬＬパケットを削除するようにする。
【００２８】
逆にＰＣＲを伝送している伝送路のＴＳに比べてＴＳレートが低い場合、１フレーム分のｘパケットのデータが伝送できないことになる。この場合、図７に示すように、ｘ−ｙパケットを１フレームとして伝送し、ＴＳ合成装置２０側では伝送されたｘ−ｙパケットを出力した後に、ｙパケット分のＮＵＬＬパケットを追加するようにする。
【００２９】
また、各伝送路で伝送できるＴＳレートが完全に異なる場合、図８のように、ＴＳレートの一番高い伝送路でＰＣＲを含むＴＳを伝送し、その他の伝送路ではＢＦＨパケットにＰＣＲを含む伝送路と同じレートになるように、ＮＵＬＬパケット挿入パターンのデータを、実際にデータを伝送するパケットを１、ＴＳ合成装置２０側でＮＵＬＬパケットを挿入するパケットを０と記載して伝送する。ＴＳ合成装置２０側では、各伝送路の出力ＴＳを、パターン情報が１の場合は受信したＴＳをそのまま出力、０の場合はＮＵＬＬパケットを挿入して調整する。
【００３０】
なお、受信器４０−１〜４０−ｎによっては、自動的にＮＵＬＬパケットを挿入するものがあり、ＴＳ分割装置１０から出力されたＮＵＬＬパケットか否かを判断することができない場合がある。この場合は、図９に示すように、ＴＳ分割装置１０から出力されるｔｒａｎｓｐｏｒｔ  ｈｅａｄｅｒのｔｒａｎｓｐｏｒｔ＿ｐｒｉｏｒｉｔｙを１とすることにより、ＴＳ分割装置１０からのＴＳと判断することが可能となる。ただし、受信器４０−１〜４０−ｎがｔｒａｎｓｐｏｒｔ＿ｐｒｉｏｒｉｔｙを１とするＮＵＬＬパケットを出力しないことが条件となる。
【００３１】
さらに、この仕組みを用いた場合、各伝送路が完全に同期していないときにレート調整としてフレームの最後に挿入することになるＮＵＬＬパケットのｔｒａｎｓｐｏｒｔ＿ｐｒｉｏｒｉｔｙを０とすることにより、ＴＳ合成装置２０側で余分に追加されたＮＵＬＬパケットを識別することが可能となる。
【実施例】
【００３２】
以下、本発明の実施例の詳細について説明する。図１０は、本発明のＴＳバルク伝送システムの一実施例を説明するための図である。なお、以下の説明において、図１〜図９と共通する部分には同一符号を付すものとする。
【００３３】
同図に示すように、ＴＳバルク伝送システムは、ＴＳ分割装置１０、ＴＳ合成装置２０、送信器３０−１〜３０−ｎ及び受信器４０−１〜４０−ｎを備えている。
【００３４】
ＴＳ分割装置１０は、入力ＴＳを複数のＴＳパケットに分割して送出するものであり、ＴＳ処理部１１、ＴＳ分配部１２、パケット生成部１３−１〜１３−ｎ、切替スイッチ（ＳＷ）１４−１〜１４−ｎを有している。
【００３５】
ＴＳ処理部１１は、入力ＴＳのＰＣＲ（時刻情報）を処理する。すなわち、入力されたＴＳに対してＰＣＲ（時刻情報）を含むパケットか否かを判断し、ＰＣＲ（時刻情報）を含むパケットの場合は、そのＰＣＲの値をパケット生成部１３−１のＰＣＲ生成部１３−１ａに渡す。また、ＴＳ処理部１１は、入力ＴＳのＰＣＲ＿ｆｌａｇを無効とする。また、ＴＳ処理部１１は、入力ＴＳがＰＣＲ（時刻情報）のみのパケットの場合、そのパケットを削除する。また、ＴＳ処理部１１は、ＮＵＬＬパケットについても同様に削除する。
【００３６】
ＴＳ分配部１２は、ＴＳ処理部１１を介して得られる入力ＴＳの複数のＴＳパケットを分割するために、それぞれのＴＳパケットをパケット生成部１３−１〜１３−ｎに分配する。
【００３７】
パケット生成部１３−１は、ＰＣＲ生成部１３−１ａ、ＴＳバッファ１３−１ｂ、ＮＵＬＬ生成部１３−１ｃ、ＢＦＨ生成部１３−１ｄを有している。ここで、ＢＦＨパケットは、上述したバルク伝送フレームヘッダである。パケット生成部１３−２〜１３−ｎは、ＴＳバッファ１３−２ｂ〜１３−ｎｂ、ＮＵＬＬ生成部１３−２ｃ〜１３−ｎｃ、ＢＦＨ生成部１３−２ｄ〜１３−ｎｄを有している。
【００３８】
ＰＣＲ生成部１３−１ａは、入力ＴＳのＰＣＲパケットと同期のとれたＰＣＲを生成する。言い換えれば、ＰＣＲ生成部１３−１ａは、入力ＴＳのＰＣＲパケットのＰＣＲを補正することで、新たなＰＣＲを生成するものである。ＴＳバッファ１３−１ｂ〜１３−ｎｂは、ＴＳ分配部１２によって分配されたＴＳパケットを保持する。
【００３９】
ＮＵＬＬ生成部１３−１ｃ〜１３−ｎｃは、ＮＵＬＬパケットを生成する。ＢＦＨ生成部１３−１ｄ〜１３−ｎｄは、各伝送路で伝送するフレームを識別するためのＢＦＨパケットを生成する。
【００４０】
切替スイッチ（ＳＷ）１４−１〜１４−ｎは、伝送路である送信器３０−１〜３０−ｎ及び受信器４０−１〜４０−ｎに対して送り出すフレームのパケット構成に従って切り替えられる。ＴＳ合成装置２０は、ＴＳ取込部２１−１〜２１−ｎ、切替スイッチ（ＳＷ）２２−２〜２２−ｎ、ＴＳ合成部２３を有している。
【００４１】
ＴＳ取込部２１−１は、ＴＳバッファ２１−１ａを有している。ＴＳ取込部２１−２〜２１−ｎは、ＴＳバッファ２１−２ａ〜２１−ｎａ、ＮＵＬＬ生成部２１−２ｂ〜２１−ｎｂを有している。
【００４２】
ＴＳバッファ２１−１ａ〜２１−ｎａは、それぞれの伝送路を介して得られるＴＳを保持する。ＮＵＬＬ生成部２１−２ｂ〜２１−ｎｂは、ＮＵＬＬパケットを生成する。
【００４３】
切替スイッチ（ＳＷ）２２−２〜２２−ｎは、ＴＳ取込部２１−２〜２１−ｎのＴＳバッファ２１−２ａ〜２１−ｎａ又はＮＵＬＬ生成部２１−２ｂ〜２１−ｎｂからのパケットを取り込むように切り替える。ＴＳ合成部２３は、ＴＳ取込部２１−１から直接、あるいは切替スイッチ（ＳＷ）２２−２〜２２−ｎによって取り込まれたパケットを合成する。
【００４４】
送信器３０−１〜３０−ｎ及び受信器４０−１〜４０−ｎは、複数（ｎ個）の伝送路を構成する。
【００４５】
次に、ＴＳバルク伝送システムの動作について説明する。まず、ＴＳ分割装置１０にＴＳが入ってくると、ＴＳ処理部１１によりＰＣＲ（時刻情報）を含むパケットか否かが判断される。
【００４６】
すなわち、上述した図２（ａ）のような入力ＴＳの場合はＰＣＲ（時刻情報）が含まれず、図３（ａ）のような入力ＴＳの場合はＰＣＲ（時刻情報）が含まれる。ここで、図３（ａ）のように、ＰＣＲ（時刻情報）を含むパケットの場合、そのＰＣＲの値はＴＳ処理部１１からパケット生成部１３−１のＰＣＲ生成部１３−１ａに渡される。ここで、ＴＳ処理部１１によりＰＣＲ＿ｆｌａｇが無効とされる。また、ＴＳ処理部１１により、ＰＣＲ（時刻情報）のみのパケットの場合はこの時点でそのパケットが削除される。また、ＮＵＬＬパケットについても同様に削除される。
【００４７】
また、ＰＣＲ（時刻情報）を含まないＴＳパケット及びＰＣＲ＿ｆｌａｇを無効としたＴＳパケットについては、ＴＳ分配部１２により、それぞれのパケット生成部１３−１〜１３−ｎに分配されることで、それぞれのＴＳバッファ１３−１ｂ〜１３−ｎｂに保持される。
【００４８】
ここで、伝送路である送信器３０−１〜３０−ｎ及び受信器４０−１〜４０−ｎについて、どのようなパケット構成で１フレームを送るかが予め決められているとすると、それに従って切替スイッチ（ＳＷ）１４−１〜１４−ｎが切り替えられる。
【００４９】
また、ＰＣＲ（時刻情報）が含まれない入力ＴＳの場合は、切替スイッチ（ＳＷ）１４−１〜１４−ｎでの切り替えにより、ＴＳバッファ１３−１ｂ〜１３−ｎｂ、ＮＵＬＬ生成部１３−１ｃ〜１３−ｎｃ又はＢＦＨ生成部１３−１ｄ〜１３−ｎｄからのＴＳパケット、ＮＵＬＬパケット又はＢＦＨパケットのいずれかが送り出される。
【００５０】
この場合、たとえば、入力ＴＳを分割ＴＳ１〜ＴＳｎまでの分割とすると、切替スイッチ（ＳＷ）１４−１〜１４−ｎでの切り替えにより、１〜ｎまでのＢＦＨパケットがＢＦＨ生成部１３−１ｄ〜１３−ｎｄから各伝送路に送り出された後、ＴＳバッファ１３−１ｂ〜１３−ｎｂ又はＮＵＬＬ生成部１３−１ｃ〜１３−ｎｃからのＴＳパケット又はＮＵＬＬパケットが各伝送路に送り出される。
【００５１】
一方、ＴＳ合成装置２０側では、各伝送路から受け取ったパケットがＴＳ取込部２１−１〜２１−ｎのＴＳバッファ２１−１ａ〜２１−ｎａに保持される。ここで、ＴＳ合成部２３に、ＴＳバッファ２１−１ａ〜２１−ｎａからの基準となるＢＦＨパケットが取り込まれ、続いてＴＳバッファ２１−１ａ〜２１−ｎａ又はＮＵＬＬ生成部２１−２ｂ〜２１−ｎｂからのパケットが取り込まれる。
【００５２】
これにより、ＴＳ合成部２３により、ＢＦＨパケットを基準として、各伝送路のパケットが順番に合成され、パケットを伝送している伝送路のビットレートのｎ倍（ｎは伝送路の本数）ＴＳ合成後のＴＳが出力される。
【００５３】
一方、ＰＣＲ（時刻情報）が含まれる入力ＴＳの場合は、上述したように、ＰＣＲ生成部１３−１ａにより、入力ＴＳのＰＣＲパケットのＰＣＲが補正され、その補正されたＰＣＲを有するＰＣＲパケットが複数の伝送路のうち１伝送路のみで伝送される。このような伝送方法にするために、ＴＳ分割装置１０側では、まず、入力ＴＳのＰＣＲパケットを削除するか、あるいはその入力ＴＳのａｄａｐｔａｔｉｏｎ＿ｆｉｅｌｄのＰＣＲ＿ｆｌａｇを無効とする。
【００５４】
この場合、たとえば、入力ＴＳをたとえば分割ＴＳ１〜ＴＳｎまでの分割とすると、切替スイッチ（ＳＷ）１４−１〜１４−ｎでの切り替えにより、１〜ｎまでのＢＦＨパケットがＢＦＨ生成部１３−１ｄ〜１３−ｎｄから送り出された後、切替スイッチ（ＳＷ）１４−１での切り替えにより、ＰＣＲ生成部１３−１ａで補正されたＰＣＲパケットが送り出され、さらにＴＳバッファ１３−１ｂ〜１３−ｎｂ又はＮＵＬＬ生成部１３−１ｃ〜１３−ｎｃからのＴＳパケット又はＮＵＬＬパケットが送り出される。
【００５５】
一方、ＴＳ合成装置２０側では、上記同様に、各伝送路から受け取ったパケットがＴＳ取込部２１−１〜２１−ｎのＴＳバッファ２１−１ａ〜２１−ｎａに保持される。ここで、ＴＳ合成部２３に、ＴＳバッファ２１−１ａ〜２１−ｎａからの基準となるＢＦＨパケットが取り込まれ、続いてＴＳバッファ２１−１ａ〜２１−ｎａ又はＮＵＬＬ生成部２１−２ｂ〜２１−ｎｂからのパケットが取り込まれる。
【００５６】
そして、それらのパケットは、ＴＳ合成部２３により、ＢＦＨパケットを基準として、各伝送路のパケットが順番に合成され、ＰＣＲパケットを伝送している伝送路のビットレートのｎ倍（ｎは伝送路の本数）でＴＳ合成後のＴＳが出力される。
【００５７】
また、このような仕組みをとることで、ＴＳ合成装置２０側ではＰＣＲを伝送しているＴＳについて常に一定間隔で出力されることになり、ＰＣＲの補正処理は不要となる。
【００５８】
ここで、ＴＳ分割装置１０側において、全ての伝送路のレートが同じ場合、切替スイッチ（ＳＷ）１４−１〜１４−ｎまで順に１パケットを送った後、再度、切替スイッチ（ＳＷ）１４−１〜１４−ｎまで順に１パケットを送ることを繰り返す。
【００５９】
これに対し、伝送路のレートが異なる場合、ＢＦＨパケットの情報によりＴＳ合成装置２０側でＮＵＬＬパケットを強制挿入するパターンとなっている伝送路については、切替スイッチ（ＳＷ）１４−１〜１４−ｎによるＴＳ出力をスキップする。
【００６０】
このとき、ＴＳ分配部１２は切替スイッチ（ＳＷ）１４−１〜１４−ｎにてＢＦＨパケットやＰＣＲパケットが出力される以外のときに、ＴＳ分配部１２に入力されたＴＳを出力していくが、切り替え時点で各伝送路に対応するＴＳバッファ１３−１ｂ〜１３−ｎｂに送るためのＴＳパケットがＴＳ分配部１２に存在しない場合、ＴＳバッファ１３−１ｂ〜１３−ｎｂからのデータではなく、ＮＵＬＬ生成部１３−１ｃ〜１３−ｎｃからのＮＵＬＬパケットが送信器３０−１〜３０−ｎに送出される。
【００６１】
なお、パケット生成部１３−１のＰＣＲ生成部１３−１ａでのＰＣＲの生成については、ＴＳ処理時にＰＣＲ（時刻情報）が入力された時刻と、実際に送出される時刻との差を計算し、ＰＣＲの値が補正して出力される。
【００６２】
一方、ＴＳ合成装置２０側のＴＳバッファ２１−１ａ〜２１−ｎａには、各伝送路の遅延差を吸収できる程度のＴＳを貯めておく必要がある。その際、各伝送路の伝送レートが同じ場合は、ＴＳ合成部２３が受信器４０−１〜４０−ｎから出力されるパケットのフレームの先頭から同じパケット位置のＴＳパケットを受信器４０−１〜４０−ｎから順番に拾い上げていく。
【００６３】
このとき、各伝送路の伝送レートが受信器４０−１と異なる場合は、切替スイッチ（ＳＷ）２２−２〜２２−ｎのＮＵＬＬ生成部２１−２ｂ〜２１−ｎｂからのＢＦＨパケットの情報により決められたパターンに従ったＮＵＬＬパケットを挿入する。
【００６４】
このようにすることで、ＴＳバッファ２１−１ａに貯められたデータは過不足無く全てのＴＳパケットが合成される。これにより、合成出力のＴＳビットレートは、受信器４０−１のＴＳビットレートのｎ倍となる。
【００６５】
このように、本実施例では、ＴＳ分割装置１０により入力ＴＳのパケットが送信器３０−１〜３０−ｎ及び受信器４０−１〜４０−ｎで構成される伝送路の数に応じて分割され、それぞれ分割したパケットがフレーム構成のＴＳとしてそれぞれの伝送路に送出されるとき、ＴＳ分割装置１０のパケット削除手段としてのＴＳ処理部１１により入力ＴＳのパケットに少なくともＰＣＲパケットが含まれている場合、該少なくともＰＣＲパケットが削除され、ＴＳ分割装置１０のＰＣＲ生成手段としてのＰＣＲ生成部１３−１ａにより入力ＴＳのＰＣＲが補正されて複数の伝送路のいずれか１回線で送出されるフレーム構成に含ませられ、ＴＳ合成装置２０ではそれぞれの伝送路を介して受け取ったそれぞれのＴＳからパケットを取り出して合成することができ、そのフレーム構成に含まれるＰＣＲをそのまま使用することができるようにしたので、ＴＳ分割装置１０側でのＰＣＲを復元させるための特殊な情報を元データとは別に同期信号挿入パケットとして伝送する処理や、ＴＳ合成装置２０側でのＰＣＲを復元する際の新たな処理を不要とすることができる。
【００６６】
また、本実施例では、ＴＳ分割装置１０のフレーム識別パケット付与手段としてのＢＦＨ生成部１３−１ｄ〜１３−ｎｄにより、それぞれのフレーム構成を識別させるためのフレーム識別パケットであるＢＦＨパケットをそれぞれのフレーム構成に付与するようにしているので、従来のような同期信号挿入パケットに分割情報を含ませるものとは異なり、ＢＦＨパケットの付与によって入力ＴＳのパケットの分割比率を決定することができる。
【００６７】
また、本実施例では、ＢＦＨパケットを、それぞれのＴＳに存在しないＰＩＤ（Ｐａｃｋｅｔ  ＩＤ）にて伝送されるようにしているので、ＴＳで伝送しているその他のデータに影響を及ぼさないようにすることができる。
【００６８】
また、本実施例では、ＴＳ分割装置１０のＮＵＬＬ生成手段としてのＮＵＬＬ生成部１３−１ｃ〜１３−ｎｃにより、ＰＣＲパケットを伝送している伝送路のＴＳに比べてＴＳレートが高い場合、１フレームをｘ＋ｙパケットとしてフレームの最後にｙパケット分のＮＵＬＬパケットを挿入し、ＴＳレートが低い場合、１フレームをｘ−ｙパケットとし、ＴＳ合成装置２０では、１フレームがｘ＋ｙパケットのときｙパケット分のＮＵＬＬパケットを削除し、１フレームがｘ−ｙパケットのときｙパケット分のＮＵＬＬパケットを追加するようにしたので、各伝送路が完全に同期していなくても、ＴＳ合成装置２０側ではＴＳの合成を容易かつ確実に行うことができる。
【００６９】
また、本実施例では、ＢＦＨパケットにフレームを識別するためのカウンタ値を含ませるようにしているので、ＴＳ合成装置２０側では各伝送路の遅延差にかかわらず、ＴＳ分割装置１０側から同時刻に送られたフレームを識別でき、誤って前後のフレームでＴＳが合成されることを防止できる。
【００７０】
また、本実施例では、伝送路の本数を変更する場合、ＢＦＨパケットにて変更後の伝送路の条件、すなわちどのタイミングで変更がされるのか等の情報を送るようにしているので、これらの情報を用いることにより、ＴＳ合成の出力レートを伝送路数の最大値ｎ＿ｍａｘとすると、実際に分割されたＴＳを伝送する伝送路がｍ個の場合、ｎ＿ｍａｘ−ｍについてはＴＳ合成にＮＵＬＬパケットを合成することにより、ＴＳの破綻及び合成後の出力のＴＳレートを変更すること無く伝送路を増減させることが可能となる。
【産業上の利用可能性】
【００７１】
ＴＳを伝送するデジタル放送やデジタル通信での通信システムに適用可能である。
【図面の簡単な説明】
【００７２】
【図１】本発明のＴＳバルク伝送システムの一実施形態を示すブロック図である。
【図２】図１のＴＳバルク伝送システムのＴＳ分割装置による入力ＴＳの分割とＴＳ合成装置による分割ＴＳの合成の一例について説明するための図である。
【図３】図１のＴＳバルク伝送システムのＴＳ分割装置による入力ＴＳの分割とＴＳ合成装置による分割ＴＳの合成の他の例について説明するための図である。
【図４】図１のＴＳバルク伝送システムにおける、ＢＦＨパケットに遅延がある場合の分割ＴＳの合成の一例について説明するための図である。
【図５】図１のＴＳバルク伝送システムにおける、伝送路の本数を変更する場合での分割ＴＳの合成の一例について説明するための図である。
【図６】図１のＴＳバルク伝送システムにおける、ＢＦＨパケットにフレーム先頭からのオフセット値を持たせてＢＦＨパケットを出力した場合での分割ＴＳの合成の一例について説明するための図である。
【図７】図１のＴＳバルク伝送システムにおける、各伝送路のＴＳレートが同期していない場合での分割ＴＳの合成の一例について説明するための図である。
【図８】図１のＴＳバルク伝送システムにおける、各伝送路で伝送できるＴＳレートが完全に異なる場合での分割ＴＳの合成の一例について説明するための図である。
【図９】図１のＴＳバルク伝送システムにおける、ＴＳ分割装置から出力されたＮＵＬＬパケットか否かを判断することができない場合での分割ＴＳの合成の一例について説明するための図である。
【図１０】本発明のＴＳバルク伝送システムの一実施例を説明するためのブロック図である。
【符号の説明】
【００７３】
１０  ＴＳ分割装置
１１  ＴＳ処理部
１２  ＴＳ分配部
１３−１〜１３−ｎ  パケット生成部
１３−１ａ  ＰＣＲ生成部
１３−１ｂ〜１３−ｎｂ  ＴＳバッファ
１３−１ｃ〜１３−ｎｃ  ＮＵＬＬ生成部
１３−１ｄ〜１３−ｎｄ  ＢＦＨ生成部
１４−１〜１４−ｎ  切替スイッチ（ＳＷ）
２０  ＴＳ合成装置
２１−１〜２１−ｎ  ＴＳ取込部
２１−１ａ〜２１−ｎａ  ＴＳバッファ
２１−２ｂ〜２１−ｎｂ  ＮＵＬＬ生成部
２２−２〜２２−ｎ  切替スイッチ（ＳＷ）
２３  ＴＳ合成部
３０−１〜３０−ｎ  送信器
４０−１〜４０−ｎ  受信器
【図１】
2009260408.tif 000003
【図２】
2009260408.tif 000004
【図３】
2009260408.tif 000005
【図４】
2009260408.tif 000006
【図５】
2009260408.tif 000007
【図６】
2009260408.tif 000008
【図７】
2009260408.tif 000009
【図８】
2009260408.tif 000010
【図９】
2009260408.tif 000011
【図１０】
2009260408.tif 000012